(57)【特許請求の範囲】
【請求項１】
巻取終了後の細幅ウエブロール端末のコーナーをカットする装置において、ウエブロール端末を載置し端末のコーナーをカットするカット台と、ウエブロール端末をカット台上に抑止する抑止手段と、ウエブロール端末のコーナーをカットするカット手段と、ウエブロール端末を上下方向に吹き上げおよび吹き下げする一対の通風ノズルと、ウエブロール端末に下方から接離自在であってウエブロール端末に接して支持する支持台とを備え、前記カット台と抑止手段とカット手段と前後および左右に移動可能であって、巻取方向と直交方向に連続して並置されたウエブロール端末のうちから一つ置きにカット台に載置してコーナーをカットした後、基台が左右に移動して残りの一つ置きのウエブロール端末を載置してコーナーをカットすることを特徴とするウエブロール端末コーナーカット装置。
【発明の詳細な説明】
【０００１】
【発明の属する技術分野】
本発明は、巻取終了後の細幅ウエブロール端末のコーナーをカットする装置に関する。
【０００２】
【従来の技術】
近年、ロール状に巻かれた記録紙の巻取製品は、原反の広幅ウエブをそのウエブ長さ方向にスリットして、所要の幅寸法にスリットされた複数の細幅ウエブそれぞれを、例えば、複数のコアそれぞれに巻き取らせている。このとき、巻き取られたウエブロールの端末が巻取り状態のままであると、そのウエブロールを移送するなどの取り扱い時に細幅ウエブが巻き戻されたり幅方向にずれたりして巻姿が悪くなる。そのため、粘着テープなどを用いて端末を固定したり、胴巻包装するなどの端末処理が行われ巻取製品としてスリッタ装置から取出される。
【０００３】
しかし、この巻取製品の使用時に記録装置に装着するときには、巻取られたウエブロールの端末を巻き戻して記録装置に差し込んで巻取りを開始させることになる。このときウエブロールの端末が切断されたままの状態であると、記録装置などの差し込み口の幅がウエブロールの幅とほぼ同寸法であるため差し込み難く作業性が悪い。そこで作業者がウエブロールの端末を幅方向に手折ったりして差し込み性をよくすると、ウエブロールの端末にロスが生じるうえに、記録用紙として印刷枠が施されているような場合は送り方向のずれも許されないので好ましくないという問題があった。このような問題を解決するために、ウエブロールの端末のコーナーを、例えば、台形にカットする処理が手作業で行われたり、あるいは１個ずつ別工程で行われるが、巻取行程の中で複数のウエブロールを同時に自動的にコーナーカットを施す技術は未だ見いだされていなかった。
【０００４】
【発明が解決しようとする課題】
本発明は、上記事情に鑑み、巻取工程中に自動的にウエブロール端末のコーナーをカットする装置を提供することを目的とする。
【０００５】
【課題を解決するための手段】
本発明は、上記課題を技術的に解決する手段として、巻取終了後の細幅ウエブロール端末のコーナーをカットする装置において、ウエブロール端末を載置し端末のコーナーをカットするカット台と、ウエブロール端末をカット台上に抑止する抑止手段と、ウエブロール端末のコーナーをカットするカット手段と、ウエブロール端末を上下方向に吹き上げおよび吹き下げする一対の通風ノズルと、ウエブロール端末に下方から接離自在であってウエブロール端末に接して支持する支持台とを備え、前記カット台と抑止手段とカット手段とは前後および左右に移動可能であって、巻取方向と直交方向に連続して並置されたウエブロール端末のうちから一つ置きにカット台に載置してコーナーをカットした後、基台が左右に移動して残りの一つ置きのウエブロール端末を載置してコーナーをカットすることを特徴とするウエブロール端末コーナーカット装置を提供して、上記課題を解消するものである。
【０００６】
【発明の実施の形態】
以下、本発明の一実施例を図面に基づいて詳細に説明する。図１は、本実施例のウエブロール端末コーナーカット装置１の概略を示す全体斜視図である。
【０００７】
図１において、巻取終了後の細幅ウエブロール２が巻取方向と直交方向に連続して一対の回転ロールＲ、Ｒ’上に並置されている。４はカット台で細幅ウエブロール２の端末３が載置されており、５は細幅ウエブロール２の端末３をカット台４上に抑止する抑止手段であり、６はカット台４上において抑止手段５で抑止された細幅ウエブロール２の端末３のコーナー７をカットするカット手段であって、カット台４と抑止手段５とカット手段６とを組合わせて１組となし、その複数組が図示しない基台上に装設されている。該基台は、一対の回転ロールＲ、 Ｒ’上に並置された細幅ウエブロール２に対して左右（矢印Ａ方向）および前後（矢印Ｂ方向）に移動可能に設けられている。移動機構は図示していないが、とくに限定されるものではなく、公知のエアシリンダ、モータ等によるアクチュエータを使用することができる。８、８’は一対の通風ノズルであって、細幅ウエブロール２の端末３の上方および下方に配置されている。９は、細幅ウエブロール２の端末３に下方から接離自在であって細幅ウエブロール２の端末３に接して支持する支持台である。
【０００８】
前記カット台４と抑止手段５とカット手段６とを組合わせてなる１組は、巻取方向と直交方向に連続して並置された巻取後の細幅ウエブロール２の幅寸法に応じて細幅ウエブロール２の一つ置きに対応して配置されるように設けられる。したがって、図１に示すように、細幅ウエブロール２の一つ置きの端末３がカット台４に載置され、残りの一つ置きの端末３はカット台４の下方に垂下して位置される。こうして一つ置きの端末３のコーナー７がカットされると、次の工程において基台が左右（矢印Ａ方向）に移動して残りの一つ置きの端末３が対応するカット台４に載置されるように設定されている。このようにして、連続して並置された細幅ウエブロール２が２度のカット工程でコーナー７をカットされることが重要である。
【０００９】
前記カット台４と抑止手段５とカット手段６とが装設されている基台は、前後（矢印Ｂ方向）にも移動可能に設けられている。該基台は、巻取方向と直交方向に連続して並置された巻取後の細幅ウエブロール２が上記回転ロールＲ、Ｒ’上に並置され、ウエブロール端末３が延長される状態となった時点でウエブロール端末３に近接して、カット台４上にウエブロール端末３を載置するように移動し、カット工程が終了後には離反して、次のカット工程に向けて待機するように設定されている。
【００１０】
カット台４は水平の平面を有する台で、その上にウエブロール端末３を載置可能な面積を有している。カット台４の表面は、とくに限定されるものではないが、後述するカット手段によるウエブロール端末３の切断状態を向上させ、カット刃１０の寿命を長期化させる目的で軟質材で被覆するのが好ましい。
【００１１】
抑止手段５は、円形断面を有する筒状の錘１１からなり、図示しないエアシリンダにより上下方向Ｃへ移動可能となっている。抑止手段５はウエブロール端末３のほぼ中央部においてウエブロール端末３の一部を抑止してコーナーカット時にウエブロール端末３が動かないように抑止できればよく、円形断面の面積はそのための摩擦抵抗を付与できればよい。また、断面形状も円形に限定されるものではなく、四角形、楕円形等任意の形状を取り得る。
【００１２】
カット手段６は、カット刃１０とカット刃１０を組み込んだヘッド部分を上下方向Ｄに駆動する図示しないエアシリンダから形成されている。このカット手段６によりウエブロール端末３の一部をカットして、例えば、ウエブロール端末３を台形状に形成するものである。このようにコーナー７をカットすることにより、巻取製品を使用時に、細幅ウエブロール２の端末３を巻き戻して記録装置等に容易に差し込んで装着が可能となるものである。カット刃１０の形状は、カットするコーナー７の形状に合わせた任意の形状を取り得るのであって、本実施例の如く直線状のカット刃１０を組合わせて、ウエブロール端末３の左右のコーナー７を直線状にカットして、図９に示すような台形カットを施すように用いてもよく、また図１１に示すように、円形カットを形成するための円形刃を有するものでもよい。
【００１３】
通風ノズル８、８’は、通風路を有するパイプ１２に複数のノズル孔１３を備えた形状であって、上下一対が配置され、上方に配置されたノズル８は連続して並置された細幅ウエブロール２から延長する端末３全数を上方から下方へ吹き下ろす機能を有する。また、この通風ノズル８は、コーナー７をカットした後のカットくず片を吹き飛ばす効果も有している。下方に配置された通風ノズル８’は連続して並置された細幅ウエブロール２から延長する端末３全数を下方から上方へ吹き上げる機能を有する。エアは図示しないエア供給設備からパイプに供給される。
【００１４】
支持台９は、ウエブロール端末３に下方から接して支持する支持台面１４と、支持台面１４をウエブロール端末３の下方から接離自在にＥ点を回転軸として矢印Ｆ方向に回動可能な駆動機構を有している（図示省略）。支持台９は、とくに巻取終了後に連続して並置された細幅ウエブロール２から延長する端末３全数を揺動させることなく支持してコーナーカット工程に移行させる効果を有するものである。支持台９は巻取工程とコーナーカット位置が別位置に存在する場合には、巻取工程位置からコーナカット位置まで移動可能な機構を備えていることが必要である。
【００１５】
本実施例においては、連続して並置された細幅ウエブロール２は一対の回転ロールＲ、Ｒ’上に載置されているが、これに限定されるものではなく、細幅ウエブロール２が静置可能な載置台であればとくに限定されるものではない。
【００１６】
次に、図２〜図１０を参照して、本実施例の動作を説明する。先ず、図２に示すように、巻取終了後連続して並置された細幅ウエブロール２は端末３が巻き戻され延長された状態で、延長部分は支持台９に支持されて揺動することなく一対の回転ロールＲ、Ｒ’上に載置され、コーナーカット工程に供される。
【００１７】
次に、図３に示すように、端末３延長部分は下方に設けられた通風ノズル８’によって上方に吹き上げられる。そして上方に吹き上げられた端末３の下方にカット台４が矢印Ｂ方向へ前進して位置する。
【００１８】
ついで、図４に示すように、上方に設けられた通風ノズル８により端末３は下方に吹き下げられるが、カット台４が一つ置きに存在するので、カット台４が存在する位置では端末３はカット台４上に載置され、カット台４が存在しない位置では端末３はカット台４の間を抜けてカット台４下方に垂下している。
【００１９】
端末３がカット台４上に載置されると、抑止手段５が矢印Ｃ方向から下降して筒状の錘１１が端末３を抑止する。端末３が抑止されると、カット手段６が矢印Ｄ方向から下降してコーナー７をカットする。カットが終了すると通風ノズルによりカット片が吹き飛ばされるとともに、カット手段６および抑止手段５は上昇して離反する。
【００２０】
カット手段６および抑止手段５が上昇すると、再び下方に設けられた通風ノズル８’により端末３全数が上方に吹き上げられる。このとき、図６に示すように、端末３は一つ置きにコーナー７がカットされている。
【００２１】
次に、上方に設けられた通風ノズル８で端末３全数が下方に吹き下げられるが、このときカット台４が図７中の右方（矢印Ａ方向）へ移動しているので、今度は、前回コーナーカットされなかって一つ置きの端末３がカット台４上に載置され、前回コーナーカットされた端末３はカット台４の下方に垂下している。
【００２２】
そこで、図８に示すように、再び抑止手段５が下降して筒状の錘１１が端末３を抑止する。端末３が抑止されると、カット手段６が下降してコーナー７をカットする。カットが終了すると通風ノズルによりカット片が吹き飛ばされるとともに、カット手段６および抑止手段５は上昇して離反する。
【００２３】
このようにして連続して並置された細幅ウエブロール２の全端末３のコーナーカットが終了すると、光電管式検知器（図示省略）によりカットミス可否の検知を行った後、基台は離反し、細幅ウエブロール２は粘着テープなどを用いて端末を固定したり、胴巻包装するなどの端末処理工程に送られる。
【００２４】
以上のようにして、連続して並置された細幅ウエブロールは、図９に示すように、各端末３が一様に台形カットが施されている巻取製品が得られる。コーナーカットは上記のような工程で、一度に一つ置きの端末３をカットし、二度目に残りの一つ置きの端末３をカットする工程が重要である。一度に全部の端末３をカットしようとすると、Ｖ型のカット刃を取りつけることは必然としても、連続して並置された細幅ウエブロール２の位置がカット手段６と少しでもずれると、図１０に示すように、片方の端部のコーナーには鉤状エッジＫが発生して、記録装置等への差し込み作業時に引掛かってしまうという不都合を生じるからである。
【００２５】
本発明において端末のコーナーがカットされる細幅ウエブロールはコア付き製品であってもコアレス製品であってもよく、また細幅ウエブロールの数は限定はなく、奇数であっても偶数であってもよい。
【００２６】
【発明の効果】
以上説明してきたように、本発明は、特定の２工程からなるカット方法により、鉤状のコーナーを生じるようなカットミスがない良好なコーナーカットが細幅ウエブロールの巻取工程中に行われることにより、巻取製品の使用時に、レジ用などの記録装置に容易に装着が可能で、かつ、ウエブロールの端末にロスが生じることないうえに、記録用紙として印刷枠が施されているような場合は送り方向のずれも発生しない良好な巻取製品が、低コストで得られる。
【図面の簡単な説明】
【図１】本発明のウエブロール端末コーナーカット装置の概略を示す全体斜視図である。
【図２】本実施例において、巻取終了後連続して並置された細幅ウエブロールの端末が巻き戻され延長された状態で、延長部分は支持台に支持されて揺動することなく一対の回転ロール上に載置された状態の説明図である。
【図３】本実施例において、端末延長部分は下方に設けられた通風ノズルによって上方に吹き上げられ、上方に吹き上げられた端末の下方にカット台が前進して位置する状態の説明図である。
【図４】本実施例において、上方に設けられた通風ノズルにより端末は下方に吹き下げられ、カット台が存在する位置では端末はカット台上に載置され、カット台が存在しない位置では端末はカット台の間を抜けてカット台下方に垂下している状態の説明図である。
【図５】本実施例において、端末がカット台上に載置され、抑止手段が下降して筒状の錘が端末を抑止し、カット手段が下降してコーナーをカットする状態の説明図である。
【図６】本実施例において、下方に設けられた通風ノズルにより端末全数が上方に吹き上げられる状態の説明図である。
【図７】本実施例において、上方に設けられた通風ノズルで端末全数が下方に吹き下げられ、前回コーナーカットされなかって一つ置きの端末がカット台上に載置された状態の説明図である。
【図８】本実施例において、残りの端末がカット台上に載置され、抑止手段が下降して筒状の錘が端末を抑止し、カット手段が下降してコーナーをカットする状態の説明図である。
【図９】ウエブロール端末のコーナーが台形にカットされた状態図である。
【図１０】ウエブロール端末のコーナー１工程でＶ型にカットしたときに、ウエブロールの境界線とＶ型の頂点がずれて、鉤状のカットが生じた状態図である。
【図１１】ウエブロール端末のコーナーが円形にカットされた状態図である。
【符号の説明】
１ ウエブロール端末コーナーカット装置
２ 細幅ウエブロール
３ 端末
４ カット台
５ 抑止手段
６ カット手段
７ コーナー
８ 上方に設けられた通風ノズル
８’ 下方に設けられた通風ノズル
９ 支持台
１０ カット刃
１１ 錘
１２ パイプ
１３ ノズル孔
１４ 支持台面
Ａ 基台移動方向（左右）
Ｂ 基台移動方向（前後）
Ｃ 抑止手段移動方向
Ｄ カット手段移動方向
Ｅ 支持台回転中心点
Ｆ 支持台回動方向
Ｋ 鉤状エッジ
Ｒ、Ｒ’回転ロール
【図１】
0003850987.tif 000002
【図２】
0003850987.tif 000003
【図３】
0003850987.tif 000004
【図４】
0003850987.tif 000005
【図５】
0003850987.tif 000006
【図６】
0003850987.tif 000007
【図７】
0003850987.tif 000008
【図８】
0003850987.tif 000009
【図９】
0003850987.tif 000010
【図１０】
0003850987.tif 000011
【図１１】
0003850987.tif 000012